(57)【特許請求の範囲】
【請求項１】
既設ドア枠と既設プレスドア間を気密に封止した、これら既設ドア枠と既設プレスドアとを備えた既設鋼製ドアの気密材後付の気密構造であって、既設鋼製ドアの上部及び側部において既設ドア枠の室内側見込面に後付設置した気密材をこれに対応する既設プレスドアの框の見付面に対接自在とし且つ既設鋼製ドアの下部において既設プレスドアの框の見付面に同じく後付設置した気密材をこれに対応する既設ドア枠の室内側見込面又は室内外見込面間の戸当面に対接自在としてなり、
上記気密材の後付設置を、既設ドア枠の室内側見込面又は既設プレスドアの室内側框見付面に対する磁性吸着によって行なってなることを特徴とする既設鋼製ドアの後付気密装置。
【請求項２】
上記既設ドア枠及び既設プレスドアに対する気密材の磁性吸着の後付設置を、気密材を装着具備した後付用の気密バーに磁性吸着材を配置し、該気密バーをその磁性吸着材によって上記既設ドア枠の室内側見込面又は既設プレスドアの室内側框見付面に着脱自在に吸着固定することによって行ってなることを特徴とする請求項１に記載の既設鋼製ドアの後付気密装置。
【請求項３】
上記気密バーを、既設ドア枠の室内側見込面又は既設プレスドアの室内側框見付面に対面する帯状ベースを具備した長尺枠材と、該長尺枠材の帯状ベースに配置した磁性吸着材と、上記長尺枠材に装着してその磁性吸着材から気密クッション又は気密フィンを突出配置した気密材を備えて形成してなることを特徴とする請求項２に記載の既設鋼製ドアの後付気密装置。
【請求項４】
上記磁性吸着材を、マグネットゴムとしてなることを特徴とする請求項２又は３に記載の既設鋼製ドアの後付気密装置。
【請求項５】
上記既設鋼製ドアの下部において既設プレスドアの框の見付面に後付設置してこれに対応する既設ドア枠の室内側見込面又は室内外見込面間の戸当面に対接自在とした気密材に代えて、上記既設鋼製ドアの上部及び側部と同じく既設ドア枠の室内側見込面に磁性吸着により後付設置し既設プレスドアの框の見付面に対接自在とした気密材としてなることを特徴とする請求項１に記載の既設鋼製ドアの後付気密装置。
【発明の詳細な説明】
【技術分野】
【０００１】
本発明は、既設鋼製ドアの既設ドア枠と既設プレスドア間を気密に封止した既設鋼製ドアの後付気密装置に関する。
【背景技術】
【０００２】
昭和５０年代までの集合住宅等の建造物には、旧日本住宅公団の規格に従った鋼製ドアが用いられ、該鋼製ドアは、鋼製のドア枠と、該鋼製のドア枠に開閉自在にヒンジによって吊支持した鋼製のプレスドアを備えたものとされ、このときドア枠は、これに形成した室外側の戸当面に点状の戸当ゴムを配置したものとし、ドアは、例えば１．６ｍｍの鋼板にプレスを施して外周に室内側に突出するようにドア框を曲げ加工したプレスドアとし、その戸当側のドア框、即ち縦框を上記ゴムクッションで受け止めて、該ドア閉鎖時の消音を可能としたものとしてある。
【０００３】
このように形成された鋼製ドアは、ドア枠とプレスドアとの間が封止されないため、気密性が極めて低いという問題点があり、このため、例えば、下記特許文献１の如きドア改装が提案されており、これによれば、既設のプレスドアを除去して残存した既設ドア枠に、新設のフラッシュドアをヒンジによって吊支持し、その室外側外周に設置した気密材を既設ドア枠の戸当面に対接自在として、既設ドア枠と新設のフラッシュドアとの間を気密に封止するようにしたものとされる。
【先行技術文献】
【特許文献】
【０００４】
【特許文献１】特開２００５−３０７６９６号公報
【発明の概要】
【発明が解決しようとする課題】
【０００５】
この場合、昭和５０年代まで多用された鋼製ドアの上記気密性の問題を解消することができるが、既設のプレスドアに代えて新設のフラッシュドアを用いて、既設鋼製ドアを改装するから、既設プレスドアの除去、新設のフラッシュドアの吊支持等の作業が必要であり、新設のフラッシュドアのコストを加えると、比較的高価格のものとなる傾向を招き易い。また、例えば、集合住宅の区分所有の場合は共用スペースの改装として扱われるために、その改装は管理組合が一括して行う場合以外に、個々の居住者が単独で改装を行うことはできないし、集合住宅の賃貸の場合には、退去時の原状回復義務が存在するために、家主が改装する場合は別としても、個々の居住者が同じく単独で改装を行うことは現実にできない。従って、この種の鋼製ドアが付された建造物にあって、既設鋼製ドアに気密性の問題があっても、現実には放置されて不便を強いられることも多い。
【０００６】
本発明はかかる事情に鑑みてなされたもので、その解決課題とするところは、既設鋼製ドアを可及的にそのまま現状維持した状態で、該既設鋼製ドアの気密性を有効且つ確実にして可及的簡易に確保し得るようにした既設鋼製ドアの後付気密装置を提供するにある。
【課題を解決するための手段】
【０００７】
上記課題に沿って鋭意検討したところ、既設鋼製ドアにあって既設ドア枠の戸当面に既設プレスドアの室内側框見付面が対接し、該既設ドア枠の戸当面と断面Ｌ字状をなすように開口面内に位置する室内側見込面は既設プレスドアの室内側框見付面の端部内側に交差するように位置するから、該室内側見込面と室内側框見付面間を気密材で封止することによって、これら既設ドア枠と既設プレスドア間の気密化をなし得ること、該気密材は、既設ドア枠の室内側見込面に気密材を配置して、既設プレスドアにこれを対接自在とすれば、これらの間の封止を有効にして確実に行うとともに外観よく行うことができること、該室内側見込面に気密材を配置することは、既設鋼製ドアの上部及び側部においては好適であるも、下部、即ち、既設ドア枠の下枠と既設プレスドアの下框間にあって下枠の室内側見込面に気密材を配置すれば、該気密材が下枠上に突出するから、出入障害となって転倒等の危険を招き、また、気密材の損傷も受け易く、従って、該下部にあっては、既設プレスドアの下框に該気密材を配置して、該下枠の戸当面又は室内側見込面に対接自在とすることによって、出入障害となるのを解消して転倒等の危険や気密材の損傷を防止し得ることに着目して本発明をなすに至ったもので、即ち、請求項１に記載の発明を、既設ドア枠と既設プレスドア間を気密に封止した、これら既設ドア枠と既設プレスドアとを備えた既設鋼製ドアの気密材後付の気密構造であって、既設鋼製ドアの上部及び側部において既設ドア枠の室内側見込面に後付設置した気密材をこれに対応する既設プレスドアの框の見付面に対接自在とし且つ既設鋼製ドアの下部において既設プレスドアの框の見付面に同じく後付設置した気密材をこれに対応する既設ドア枠の室内側見込面又は室内外見込面間の戸当面に対接自在としてなることを特徴とする既設鋼製ドアの後付気密装置としたものである。
【０００８】
さらに、請求項１に記載の発明は、上記に加えて、上記既設鋼製ドアは、鋼製であることによって気密材の後付設置を磁性吸着の手段による磁性吸着によって行うものとすることによって、該気密材を簡易に配置し得るとともに永年使用により既設ドア枠と既設プレスドア間に歪み等の変形がある場合にも気密材の位置調整を行ってこれらの間の有効な封止を容易になし得るものとなる上、例えば、集合住宅の賃貸における退去時等、必要に応じた撤去を行うことができることから、これを、上記気密材の後付設置を、既設ドア枠の室内側見込面又は既設プレスドアの室内側框見付面に対する磁性吸着によって行なってなることを特徴とする既設鋼製ドアの後付気密装置としたものである。
【０００９】
請求項２に記載の発明は、上記に加えて、気密材の磁性吸着による後付設置を、気密材と磁性吸着材を具備して後付用とした気密バーを用いることによって、所定位置に該気密バーを配置して必要に応じて位置調整を行って、極く簡易になし得るものとするように、これを、上記既設ドア枠及び既設プレスドアに対する気密材の磁性吸着の後付設置を、気密材を装着具備した後付用の気密バーに磁性吸着材を配置し、該気密バーをその磁性吸着材によって上記既設ドア枠の室内側見込面又は既設プレスドアの室内側框見付面に着脱自在に吸着固定することによって行ってなることを特徴とする請求項１に記載の既設鋼製ドアの後付気密装置としたものである。
【００１０】
請求項３に記載の発明は、同じく上記に加えて、上記気密バーを長尺枠材に気密材と磁性吸着材を配置したものとすることによって、納まりや外観を良好にするとともに後付設置や撤去に適したものとするように、これを、上記気密バーを、既設ドア枠の室内側見込面又は既設プレスドアの室内側框見付面に対面する帯状ベースを具備した長尺枠材と、該長尺枠材の帯状ベースに配置した磁性吸着材と、上記長尺枠材に装着してその磁性吸着材から気密クッション又は気密フィンを突出配置した気密材を備えて形成してなることを特徴とする請求項２に記載の既設鋼製ドアの後付気密装置としたものである。
【００１１】
請求項４に記載の発明は、同じく上記に加えて、上記吸着材を、気密バーへの対面ベースに対する配置を簡易になし得るとともに気密バーの使い勝手を良好なものとするように、これを、上記磁性吸着材を、マグネットゴムとしてなることを特徴とする請求項２又は３に記載の既設鋼製ドアの後付気密装置としたものである。
【００１３】
請求項５に記載の発明は、同じく上記に加えて、上記磁性吸着による気密材の後付設置を、例えば、可及的薄肉に行うことによって上方突出を抑制する如くに、上記出入の障害や損傷を回避し得る措置を施すようにして、既設鋼製ドアの下部においても、同様に磁性吸着による気密材の後付設置をなし得ることから、これを、上記既設鋼製ドアの下部において既設プレスドアの框の見付面に後付設置してこれに対応する既設ドア枠の室内側見込面又は室内外見込面間の戸当面に対接自在とした気密材に代えて、上記既設鋼製ドアの上部及び側部と同じく既設ドア枠の室内側見込面に磁性吸着により後付設置し既設プレスドアの框の見付面に対接自在とした気密材としてなることを特徴とする請求項１に記載の既設鋼製ドアの後付気密装置としたものである。
【００１４】
本発明はこれらをそれぞれ発明の要旨として上記課題解決の手段としたものである。
【発明の効果】
【００１５】
本発明は以上のとおりに構成したから、請求項１に記載の発明は、既設鋼製ドアにあってその既設ドア枠の戸当面と断面Ｌ字状をなすように開口面内に位置する室内側見込面と、これに交差するように位置する既設プレスドアの室内側框見付面間を、その上部及び側部において既設ドア枠の室内側見込面に後付設置した気密材によって、下部において既設プレスドアの室内側框見付面に後付設置した気密材によってそれぞれ封止することによって、これらの間の気密化をなし得るとともに下部において出入障害となるのを解消して転倒等の危険や気密材の損傷を防止し得るようにして、既設鋼製ドアを可及的にそのまま現状維持した状態で、該既設鋼製ドアの気密性を有効且つ確実にして可及的簡易に確保し得るようにした既設鋼製ドアの後付気密装置を提供することができる。
【００１６】
さらに、請求項１に記載の発明は、上記に加えて、上記既設鋼製ドアは、鋼製であることによって気密材の後付設置を磁性吸着の手段による磁性吸着によって行うものとすることによって、該気密材を簡易に配置し得るとともに永年使用により既設ドア枠と既設プレスドア間に歪み等の変形がある場合にも気密材の位置調整を行ってこれらの間の有効な封止を容易になし得るものとなる上、例えば、集合住宅の賃貸における退去時等、必要に応じた撤去を行うことができるようにしたものとすることができる。
【００１７】
請求項２に記載の発明は、上記に加えて、気密材の磁性吸着による後付設置を、気密材と磁性吸着材を具備して後付用とした気密バーを用いることによって、所定位置に該気密バーを配置して必要に応じて位置調整を行って、極く簡易になし得るものとすることができる。
【００１８】
請求項３に記載の発明は、同じく上記に加えて、上記気密バーを長尺枠材に気密材と磁性吸着材を配置したものとすることによって、納まりや外観を良好にするとともに後付設置や撤去に適したものとすることができる。
【００１９】
請求項４に記載の発明は、同じく上記に加えて、上記吸着材を、気密バーへの対面ベースに対する配置を簡易になし得るとともに気密バーの使い勝手を良好なものとすることができる。
【００２１】
請求項５に記載の発明は、同じく上記に加えて、上記磁性吸着による気密材の後付設置を、例えば、可及的薄肉に行うことによって上方突出を抑制する如くに、上記出入の障害や損傷を回避し得る措置を施すようにして、既設鋼製ドアの下部においても、同様に磁性吸着による気密材の後付設置をなし得るものとすることができる。
【図面の簡単な説明】
【００２２】
【図１】既設鋼製ドアの正面図である。
【図２】気密構造を示す既設鋼製ドアの縦断面図である。
【図３】図２上部の部分拡大図である。
【図４】図２下部の部分拡大図である。
【図５】気密構造を示す既設鋼製ドアの戸先側横断面図である。
【図６】気密構造を示す既設鋼製ドアの吊元側横断面図である。
【図７】他の例に係る下部の気密構造を示す部分拡大図である。
【図８】他の例に係る下部の気密構造を示す部分拡大図である。
【発明を実施するための形態】
【００２３】
以下図面の例に従って本発明を更に具体的に説明すれば、図１乃至図６において、Ａは既設鋼製ドアであり、該既設鋼製ドアＡは、旧日本住宅公団の鋼製ドアの規格に基づいて製造され、集合住宅に用いられたものとしてあり、該既設鋼製ドアＡは、既設ドア枠１に既設プレスドア２をヒンジによって開閉自在に吊支持したものとしてあるところ、該既設ドア枠１は、１．６ｍｍの鋼板をプレス加工し、室内外中間位置の戸当面１１を介して室内側見込面１２と室外側見込面１３を配置した断面Ｓ字状をなすようにして、縦長矩形のドア開口を区画したものとしてある。既設プレスドア２は、同じく１．６ｍｍの鋼板をプレス加工し、上下左右に１０ｃｍ程度の幅の室内側に框２１、２２、２３を室内側に突出配置するとともに面内に単一乃至上下２段の補強リブ２４を室外側に突出配置したものとする一方、上下中間位置に室外側に開口する郵便受口２５を配置し、室内側にボックス状の郵便受けを固定したものとしてある。
【００２４】
この既設鋼製ドアＡは、その気密構造を備えることによって、既設ドア枠１と既設プレスドア２間を封止して気密化したものとしてあり、該気密構造は、既設プレスドア２の上部及び側部において既設ドア枠１の室内側見込面１２に後付設置した気密材３２をこれに対応する既設プレスドア２の框２１、２３の見付面に対接自在とし且つ既設鋼製ドアＡの下部において既設プレスドア２の框２２見付面に同じく後付設置した気密材３２をこれに対応する既設ドア枠１の室内側見込面１２又は室内外見込面間の戸当面１１に対接自在としたものとしてある。
【００２５】
本例にあって、上記気密材３２の後付設置は、これを、既設ドア枠１の室内側見込面１２又は既設プレスドア２の框２２の見付面に対する磁性吸着によって行ない、また、該気密材３２の磁性吸着の後付設置は、これを、気密材３２を装着具備した後付用の気密バー３に磁性吸着材３３を配置し、該気密バー３をその磁性吸着材３３によって上記既設ドア枠１の室内側見込面１２又は既設プレスドア２の框２２の見付面に着脱自在に吸着固定することによって行ってあり、このとき、本例の上記気密バー３は、既設ドア枠１の室内側見込面１２又は既設プレスドア２の框２２の見付面に対面する帯状ベースを具備した長尺枠材３１と、該長尺枠材３１の帯状ベースに配置した磁性吸着材３３と、上記長尺枠材３１に装着してその磁性吸着材３３から気密クッション又は気密フィンを突出配置した気密材３２を備えて形成してあり、上記磁性吸着材３３は、これを、マグネットゴムとしてある。
【００２６】
即ち、気密バー３は、長尺枠材３１と、気密材３２と、磁性吸着材３３としてマグネットゴムを備えたものとしてあり、既設ドア枠１における左右の縦枠用の気密バー３にあって、該既設ドア枠１の左右の縦枠と略同長とし、上枠用の気密バー３にあって、既設ドア枠１の上枠の長さから気密バー３の幅の２倍程度を短尺化した長さとし、また、既設プレスドア２の下部用の気密バー３にあって、既設プレスドア２の長さから、既設ドア枠１の戸当面１１の幅の２倍及び気密バー３の幅の２倍程度を短尺化した長さとしてあり、このとき該各気密バー３の小口は、これを、それぞれ直交方向に切断したものとしてある。
【００２７】
長尺枠材３１は、押出材や曲げ加工材を用いて断面Ｕ字状に形成したアルミ、鋼板の金属製又は合成樹脂製にして、本例にあって、例えば０．５ｍｍ程度の肉厚にして、各１ｃｍ程度の幅の底板及び対向する起立板を備えて一端を同じく１ｃｍ程度の幅で開口して、気密材嵌入溝を形成した金属製のものとしてあり、このとき該該長尺枠材３１の片側の側面に位置する起立壁を、上記磁性吸着材３３のマグネットゴムを配置した帯状ベースとしてある。
【００２８】
磁性吸着材３３、即ちマグネットゴムは、各気密バー３における長尺枠材３１の長さに合せた長尺にして、長尺枠材３１の起立壁と同等の幅又はこれよりやや狭い幅の、本例にあっては同等の幅の１ｃｍ程度にして、肉厚を、例えば１ｍｍ程度とした帯状のものを用い、これを、例えば、接着剤により、上記長尺枠材３１の片側の側面の帯状ベースに接着することによって該長尺枠材３１に一連に固定して一体化したものとしてあり、該マグネットゴムを長尺枠材３１に一連に固定することによって、マグネットゴムが断続したものとする場合のように部分的に長尺枠材３１に固定したときに生じるマグネットゴムの不存在部分による空隙によって気密性が損なわれたり、低下したりするのを防止するようにしてある。
【００２９】
気密材３２は、嵌入基部と、該嵌入基部に突出形成した中空の弾性クッション乃至舌片状の弾性フィンを備えた、合成ゴムを一体に押出成形した成形の気密材としてあり、本例にあって該気密材３２は、既設ドア枠１の上枠及び左右の縦枠用の気密バー３にあって、上記嵌入基部に中空の弾性クッションを、既設プレスドア２の下部用のものにあって、上記嵌入基部に弾性フィンをそれぞれ備えたものとしてあり、該気密材３２は、その嵌入基部を、上記断面Ｕ字状の長尺枠材３１とすることによってこれに形成された開口からその気密材嵌入溝に嵌入し、該開口から上記中空の弾性クッション又は弾性フィンを突出することによって、該長尺枠材３１、ひいては磁性吸着材３３のマグネットゴムから外方に突出するようにしてある。
【００３０】
このように形成した気密バー３は、これを現場に搬入し、既設ドア枠用のものを、気密材３２を既設プレスドア２に向けるように、既設ドア枠１における上枠及び左右の縦枠の室内側見込面１２の、室外側端部又はその近傍にそれぞれ磁性吸着して後付設置し、その各気密材３２をそれぞれ対応する既設プレスドア２の框の見付面、即ち、室内側に突出配置した上框２１、縦框２３の室内側の見付面に対接するようにし、また、既設プレスドア用のものを、その気密材３２を既設ドア枠１の下枠に向けるように、既設プレスドア２の下部に同じく磁性吸着して後付設置し、その気密材３２を該下枠の室内側見込面１２に対接するようにして、既設ドア枠１と既設プレスドア２間の気密化を行うものとしてある。
【００３１】
このとき、本例にあって気密バー３は、既設ドア枠用及び既設プレスドア用における長さを上記のものとしてあるから、該気密バー３の後付設置は、既設ドア枠１における左右の縦枠においてその略全長に気密バー３を配置するように行う一方、上枠及び既設プレスドア２の下部において、その気密バー３の長手方向両端の小口が、上記左右の縦枠の気密バー３の長手方向両端の長尺枠材３１の側面、即ち起立壁に対接乃至対面して位置するように配置して行うものとしてあり、これによって、既設ドア枠１の、上枠及び左右縦枠の室内側見付面１２、特にその室外側端部において気密材３２を同一気密面に連続配置するとともに既設プレスドア２の下部にあって、気密バー３の長手方向両端の小口、特にその弾性フィンが上記既設ドア枠１における上枠及び左右縦枠の気密バー３の内外方向中央に位置して、その長尺枠材３１の側面、即ち起立壁に対接乃至近接した状態となるので、同じく実質的に同一気密面に連続するように配置して、既設鋼製ドアＡにおける気密性を確保するものとしてある。
【００３２】
既設鋼製ドアＡは、長期の使用や建物の経年変化によって、既設ドア枠１に変形を来たしていることも多く、この場合、気密バー３を仮に磁性吸着した後に、該気密バー３の位置を、例えば既設ドア枠１の室内側見込面１２においてその奥行き方向の室内側に幾分ずらしたり、既設プレスドア２の下部においてその上下方向に幾分ずらしたりして、該変形に追随するように、その位置調整を行うことができる。一般に既設ドア枠１の変形は、その長手方向中間部分に生じることが多いが、気密バー３の上記長尺枠材３１は、薄肉の金属製としたことによって長手方向の中間部分を部分的に撓ませて後付設置することも可能であるから、位置調整を施すことによって、既設ドア枠１の変形に対して有効に追随して、気密性を確保することができる。
【００３３】
本例にあって気密バー３の配置は、その長手方向端部において常に対接するとは限らず、対面する状態となることがあるも、その間隔を僅少とすることができるから、気密材３２の実質的な連続性を損なうことなく、従って既設ドア枠１と既設プレスドア２間の気密性が有効に確保することができる。
【００３４】
本例の既設鋼製ドアＡの気密化は、既設ドア枠１の上枠及び左右の縦枠において、中空の弾性クッションが既設プレスドア２に対接して、既設プレスドア２の閉鎖によって該弾性クッションが圧縮するようにその気密性を確保し、開放によって該弾性クッションが復帰することとなり、従って既設プレスドア２の開閉に際して、これを阻害するように作用する要因はなく、また、既設プレスドア２において、弾性フィンが既設ドア枠１、即ち下枠の室内側見込面１２に対接して、既設プレスドア２の閉鎖によって該弾性フィンが下枠の室内側見込面１２に対接して、その気密性を確保し、開放によって同じく該弾性フィンが摺接するも、該弾性フィンの摺接は、線接触状である上、その摺接範囲は極く小さいものとなるから、同じく既設プレスドア２の開閉に際して、開閉抵抗を増大する如くに、これを阻害するように作用する要因は実質的になく、このため該気密化を施した既設鋼製ドアＡにあって、その開閉は、これを、従前と同様に行うことができる。
【００３５】
図７及び図８は、既設プレスドア２の下部に対する気密材３２後付設置の他の例を示すものであって、これらにおいて、上記既設鋼製ドアＡの下部における既設プレスドア２に対する気密材３２の後付設置は、これを、該既設プレスドア２に添設状に気密材３２を配置し且つ該既設プレスドア２に対してネジ３５止め固定した固定バー３４によって室内側から挟着することによって行ったものとしてある。
【００３６】
即ち、図７にあっては、上記と同様に、既設プレスドア２の下部、即ち、室内側に突出配置した下框２２の室内側見込面１２に下向き幅広の気密材３２を固定して、これを、これに対応する既設ドア枠１の下枠における戸当面１１に対接自在とした例であり、このとき、該気密材３２は、その幅方向上部を上記室内側見付面に配置して、該幅方向上部に固定バー３４を宛がって該固定バー３４の室内側からのネジ３５を、既設プレスドア２の下框２２に螺入し、該気密材３２を固定したものとしてある。この場合、気密材３２の肉厚を、戸当面１１に既存配置の戸当ゴムの突出幅と同等とすることによって、既設プレスドア２の閉鎖時に、該気密材３２が戸当面１１に面接して、該既設プレスドア２と既設ドア枠１の下枠間を封止して、該下部の気密性を確保できる。なお、下枠に上記戸当ゴムがあるときは、これを除去することによって、該気密性を無理なく確保することができる。
【００３７】
図８にあっては、既設プレスドア２の下部、特に下面に同様な気密材３２を、既設ドア枠１の下枠の戸当面１１に向けて、該既設プレスドア２における下框２２の室内側見付面より突出するように、該既設プレスドア２の下面に固定バー３４を宛がってネジ３５止めすることによって、該気密材３２を固定して、その先端を、該戸当面１１に対接自在としてあり、この場合、気密材３２の後付設置は、既設プレスドア２を、既設ドア枠１から一時的に取り外して、その固定バー３４による固定を行うものとしてあるが、同様に既設プレスドア２と既設ドア枠１の下枠間を封止して、該部分の気密性を確保できる。
【００３８】
これら図７及び図８の例にあっても、同じく既設プレスドア２の開閉を阻害する要因はなく、同様に既設鋼製ドアＡの気密化を行うことができる。
【００３９】
図示した例は以上のとおりとしたが、磁性吸着を、長尺枠材を磁性吸着材料で形成すること、磁性吸着材料を金属製のものとすること、気密材の後付設置を、下枠からの突出高さを可及的に抑制して出入障害や気密材の損傷を防止するようにして、上記既設鋼製ドアの下部においても、上記既設鋼製ドアの上部及び側部と同じく既設ドア枠の室内側見込面に磁性吸着により後付設置し既設プレスドアの室内側框見付面に対接自在とした気密材を備えたものとすることが可能であり、この場合を含めて、本発明の実施に当って、既設鋼製ドア、既設ドア枠、既設プレスドア、気密材、その後付設置、必要に応じて用いる磁性吸着、気密バー、磁性吸着材、長尺枠材、気密材、マグネットゴム、固定バー等の各具体的形状、構造、材質、これらの関係、これらに対する付加等は、上記発明の要旨に反しない限り様々な形態のものとすることができる。
【符号の説明】
【００４０】
Ａ  既設鋼製ドア
１  既設ドア枠
１１  戸当面
１２  室内側見込面
１３  室外側見込面
２  既設プレスドア
２１  上框
２２  下框
２３  縦框
２４  補強リブ
２５  郵便受口
３  気密バー
３１  長尺枠材
３２  気密材
３３  磁性吸着材
３４  固定バー
３５  ネジ
【図１】
0005627249.tif 000002
【図２】
0005627249.tif 000003
【図３】
0005627249.tif 000004
【図４】
0005627249.tif 000005
【図５】
0005627249.tif 000006
【図６】
0005627249.tif 000007
【図７】
0005627249.tif 000008
【図８】
0005627249.tif 000009